(57)【要約】【課題】ユーザの簡単な操作で、外部から入力された映像情報を鑑賞する表示環境と、ＣＰＵの処理が介在するデータ表示を伴う処理作業環境とを任意に切り換えることができる。【解決手段】ユーティリティで「自動切替」が設定されている際、ビデオ入力端子１３０に映像信号が入力されると、表示部１０６に表示される情報が、ＣＰＵ１０１で処理した内部処理情報から、第２の表示コントローラ１０４Ｂで処理した外部表示情報に切り替わる。「手動切替」である際は、表示切替ボタン１１５が操作される度に、ＥＣ／ＫＢＣ１１１が、表示切替スイッチ１０５を切り換え制御して、第１の表示コントローラ１０４Ａの出力表示と、第２の表示コントローラ１０４Ｂの出力表示とを切り換える。【選択図】    図１
2005340953.tif 000002
【特許請求の範囲】
【請求項１】
表示部と、
プログラム処理を実行する処理部と、
外部の情報を入力する外部入力端子と、
前記処理部で処理した内部の情報と前記外部入力端子に入力された情報とを切り換えて前記表示部に表示する制御手段と
を具備したことを特徴とする情報機器。
【請求項２】
前記制御手段は、前記外部入力端子に前記外部の情報が入力されたことを検知する検知手段を具備し、前記検知手段の検知信号をもとに前記処理部で処理した内部の情報と前記外部入力端子に入力された情報とを切り換えて前記表示部に表示する請求項１記載の情報機器。
【請求項３】
前記処理部を内蔵した筐体本体に回動自在に設けた表示部筐体に前記表示部を設け、前記筐体本体に、前記外部入力端子、および前記処理部で処理した内部の情報と前記外部入力端子に入力された情報とを切り換える操作スイッチを設けた請求項１記載の情報機器。
【請求項４】
前記制御手段は、前記外部入力端子に映像信号が入力されたとき、当該信号の入力を検知して、前記表示部に、前記処理部で処理した内部の表示情報に代え前記外部入力端子に入力された映像信号を処理した表示情報を表示する請求項２または３記載の情報機器。
【請求項５】
前記制御手段は、前記操作スイッチを用いて表示切り替えを行う手動切り換えモードと、前記外部入力端子に映像信号が入力されたとき当該信号の入力を検知して前記表示部に前記処理部で処理した内部の表示情報に代え前記外部入力端子に入力された映像信号を処理した表示情報を表示する自動切り換えモードとを選択するモード設定手段を含む請求項３記載の情報機器。
【請求項６】
前記制御手段は、
前記表示部を制御する第１および第２の表示コントローラと、
前記第１の表示コントローラで処理した内部の情報を前記第２の表示コントローラで加工処理して前記表示部に出力するパスと、
前記第１の表示コントローラで処理した内部の情報を前記第２の表示コントローラを経由せずに前記表示部に出力するパスと、
前記外部入力端子に入力された情報を前記第２の表示コントローラで処理して前記表示部に出力するパスと、
前記パスの１つを選択する表示切り換え手段と
を具備する請求項２乃至４のいずれか１項に記載の情報機器。
【請求項７】
前記処理部に内部バスを経由して少なくとも映像再生機器若しくはテレビジョンチューナを設け、前記処理部が前記映像再生機器で再生した情報若しくはテレビジョンチューナで受信した映像信号を処理して前記表示部に表示する際に、前記表示切り換え手段が前記第１の表示コントローラで処理した内部の情報を前記第２の表示コントローラで加工処理して前記表示部に表示するパスを選択する請求項６記載の情報機器。
【請求項８】
前記外部入力端子に映像信号が入力されたとき、前記表示切り換え手段が前記外部入力端子に入力された映像信号を前記第２の表示コントローラで処理して前記表示部に表示するパスを選択する請求項６または７記載の情報機器。
【請求項９】
筐体本体と、筐体本体にヒンジ機構を介して表示部筐体を設け、前記筐体本体に、プログラム処理を実行する処理部を内蔵し、前記表示部筐体に表示部を実装した情報機器の表示制御方法であって、
前記筐体本体に、外部の情報を入力する外部入力端子と、前記表示部に表示する情報を切り替える操作スイッチとを設け、前記操作スイッチが操作される度に、前記処理部で処理した内部の情報と前記外部入力端子に入力された情報とを切り換えて前記表示部に表示することを特徴とする情報機器の表示制御方法。
【請求項１０】
前記表示部に前記処理部で処理した内部の表示情報を表示しているとき、前記外部入力端子に映像信号が入力されると当該信号の入力を検知して、前記表示部に、前記処理部で処理した内部の表示情報に代え前記外部入力端子に入力された映像信号を処理した表示情報を表示することを特徴とする請求項９記載の情報機器の表示制御方法。
【請求項１１】
前記情報機器は、
前記表示部を制御する第１および第２の表示コントローラと、
前記第１の表示コントローラで処理した内部の情報を前記第２の表示コントローラで加工処理して前記表示部に表示する第１のパスと、
前記第１の表示コントローラで処理した内部の情報を前記第２の表示コントローラを経由せずに前記表示部に表示する第２のパスと、
前記外部入力端子に入力された情報を前記第２の表示コントローラで処理して前記表示部に表示する第３のパスとを具備し、
前記操作スイッチが操作される度に、前記第１の表示コントローラで処理した情報を表示する第１若しくは第２のパスと、前記第２の表示コントローラで処理した情報を表示する第３のパスとを切り換えて、内部で処理した情報と外部より入力された情報とを切り換えて表示することを特徴とする請求項９または１０記載の情報機器の表示制御方法。
【発明の詳細な説明】
【技術分野】
【０００１】
本発明は表示部を備えた情報機器および同機器の表示制御方法に関する。
【背景技術】
【０００２】
近年、外部より提供されるテレビジョン（ＴＶ）放送等の番組情報、外部の映像再生機器より提供される動画情報等の各種オーディオ・ビジュアル（ＡＶ）情報を鑑賞するＡＶ情報の鑑賞機能を備えたパーソナルコンピュータが広く普及している。
【特許文献１】特開２００３−１９５８４４号公報
【発明の開示】
【発明が解決しようとする課題】
【０００３】
この種、パーソナルコンピュータに於いては、オペレーティングシステム（ＯＳ）の管理、制御のもとに上記ＡＶ情報の鑑賞機能を駆動制御するシステム構成と、ＯＳを起動させずにＡＶ機能を独立して起動させるシステム構成とが存在する。
【０００４】
ＯＳ制御のもとにＡＶ情報の鑑賞機能を駆動制御するシステム構成に於いては、ＡＶ情報を鑑賞する際に、ＯＳの起動完了を待たなければならないという問題があった。またＯＳを起動させずにＡＶ機能を独立して起動させるシステム構成に於いては、ＡＶ機能を独立して動作させるため、装置全体の構成が煩雑になり、かつ経済的に不利な構成になるという問題があった。また、上記した何れのシステム構成に於いても、ユーザの簡単な操作で、外部から入力された映像情報を鑑賞する表示環境と、ＣＰＵの処理が介在するデータ表示を伴う処理作業環境とを任意に切り換えることができないという問題があった。
【０００５】
本発明は上記実情に鑑みなされたもので、ユーザの簡単な操作で、外部から入力された映像情報を鑑賞する表示環境と、ＣＰＵの処理が介在するデータ表示を伴う処理作業環境とを任意に切り換えることができる情報機器および同機器の表示制御方法を提供することを目的とする。
【課題を解決するための手段】
【０００６】
本発明は、表示部と、プログラム処理を実行する処理部と、外部の情報を入力する外部入力端子と、前記処理部で処理した内部の情報と前記外部入力端子に入力された情報とを切り換えて前記表示部に表示する制御手段とを具備した情報機器を特徴とする。
【０００７】
また前記情報機器に於いて、前記制御手段に、前記外部入力端子に前記外部の情報が入力されたことを検知する検知手段を具備し、前記検知手段の検知信号をもとに前記処理部で処理した内部の情報と前記外部入力端子に入力された情報とを切り換えて前記表示部に表示する機能をもつことを特徴とする。
【０００８】
また前記情報機器に於いて、前記処理部を内蔵した筐体本体に回動自在に設けた表示部筐体に前記表示部を設け、前記筐体本体に、前記外部入力端子、および前記処理部で処理した内部の情報と前記外部入力端子に入力された情報とを切り換える操作スイッチを設けたことを特徴とする。
【０００９】
また、本発明は、筐体本体と、筐体本体にヒンジ機構を介して表示部筐体を設け、前記筐体本体に、プログラム処理を実行する処理部を内蔵し、前記表示部筐体に表示部を実装した情報機器の表示制御方法であって、前記筐体本体に、外部の情報を入力する外部入力端子と、前記表示部に表示する情報を切り替える操作スイッチとを設け、前記操作スイッチが操作される度に、前記処理部で処理した内部の情報と前記外部入力端子に入力された情報とを切り換えて前記表示部に表示することを特徴とする。
【００１０】
また前記表示制御方法に於いて、前記表示部に前記処理部で処理した内部の表示情報を表示しているとき、前記外部入力端子に映像信号が入力されると当該信号の入力を検知して、前記表示部に、前記処理部で処理した内部の表示情報に代え前記外部入力端子に入力された映像信号を処理した表示情報を表示することを特徴とする。
【発明の効果】
【００１１】
ユーザの簡単な操作で、外部から入力された映像情報を鑑賞する表示環境と、ＣＰＵの処理が介在するデータ表示を伴う処理作業環境とを任意に切り換えることができる。
【発明を実施するための最良の形態】
【００１２】
以下図面を参照して本発明の実施形態を説明する。
【００１３】
まず図１を参照して、本発明の実施形態に係る情報機器について説明する。この情報機器は、例えばノートブック型パーソナルコンピュータとして実現される。
【００１４】
図１は情報機器１のディスプレイユニット３を機器本体２に対して開いた状態を示す正面図である。情報機器１は機器本体２とディスプレイユニット３とから構成される。ディスプレイユニット３には、例えばＬＣＤ（Liquid Crystal Display）を用いた表示部１０６が表示面を露出した状態でディスプレイユニット３のほぼ中央に組み込まれている。ディスプレイユニット３は、機器本体２に対して開放位置と閉塞位置との間を回動自在に取り付けられている。
【００１５】
機器本体２は略箱形の形状を有しており、機器本体２の側面には、機器本体２に内蔵されたＤＶＤプレーヤ１２２のメディア挿抜口、外部の映像信号が入力可能なビデオ入力端子（コンポジット信号入力端子）１３０等が設けられている。さらに機器本体２の側面には符号を付さないがＵＳＢコネクタ、ビデオ出力コネクタ、ＩＥＥＥ１３９４コネクタ、ＰＣカードスロット、ＳＤカードスロット等が設けられている。また、機器本体２の上面にはキーボードユニット１１２、情報機器１の電源をオン／オフするためのパワーボタン１１４、表示部１０６に表示する表示情報（表示パス）を切り換える表示切替ボタン１１５等が設けられている。この表示切替ボタン１１５は、機器内部で処理した内部処理情報と、ビデオ入力端子１３０に入力された外部入力情報（コンポジット信号から生成した映像情報）の表示とを切り換えて上記表示部１０６に表示する際に、その都度、操作される。さらに機器本体２の上面には符号を付さないがスピーカ、タッチパッド、左ボタン、右ボタン等が設けられている。また、機器本体２の前面には符号を付さないが機器本体２に内蔵されたＤＶＤプレーヤ１２２にセットされたメディア（ディスク）に記憶されているＡＶコンテンツの再生を指示するＡＶ再生スイッチ、ボリュームダイヤル等が設けられている。
【００１６】
次に図２を参照して、本発明の実施形態に係る情報機器１のシステム構成について説明する。
【００１７】
情報機器１は、ＣＰＵ１０１、ノースブリッジ１０２およびサウスブリッジ１０７、主メモリ１０３、ＢＩＯＳ−ＲＯＭ１１０、第１の表示コントローラ１０４Ａ、第２の表示コントローラ１０４Ｂ、表示切替スイッチ１０５、表示部（ＬＣＤ）１０６、ハードディスクドライブ装置（ＨＤＤ）１０８、ＢＩＯＳ−ＲＯＭ１１０、エンベデッドコントローラ／キーボードコントローラ（ＥＣ／ＫＢＣ）１１１、キーボードユニット（ＫＢ）１１２、パワーボタン１１４、表示切替ボタン１１５、テレビジョン（ＴＶ）チューナ１２１、ＤＶＤプレーヤ１２２、ビデオ入力端子（コンポジット信号入力端子）１３０等の各種構成要素を有して構成される。
【００１８】
ＣＰＵ１０１は、本実施の形態に係る情報機器の動作を制御するために設けられたプロセッサであり、外部記憶装置であるハードディスクドライブ１０６から主メモリ１０３にロードされたオペレーティングシステム（ＯＳ）および各種アプリケーション／ユーティリティプログラムを実行する。また、ＣＰＵ１０１は、ＢＩＯＳ−ＲＯＭ１１０に格納されたＢＩＯＳ（Basic Input Output System）を実行する。
【００１９】
ノースブリッジ１０２はＣＰＵ１０１のローカルバスとサウスブリッジ１０７との間を接続するブリッジデバイスである。ノースブリッジ１０２には、主メモリ１０３をアクセス制御するメモリコントローラが内蔵されている。また、ノースブリッジ１０２には第１の表示コントローラ１０４Ａが接続されている。
【００２０】
主メモリ１０３には、ＣＰＵ１０１により実行される、オペレーティングシステム（ＯＳ）、および各種のアプリケーションプログラム、ユーティリティプログラム等が格納される。例えば本実施の形態に係る情報機器のユーザインタフェースの一部を担う、ビデオ入力端子１３０に入力された外部入力情報（コンポジット信号から生成した映像情報）の表示について当該表示の自動切替／手動切替の設定を行うユーティリティプログラム、あるいは所定設定条件下での表示（例えばＤＶＤ映像のフルスクリーンモードでの表示）に関して、当該表示の際に第１の表示コントローラ１０４Ａで処理した表示画像を第２の表示コントローラ１０４Ｂで予め設定された加工処理（例えば輪郭補正、輝度補正、色調補正、ノイズリダクション、動き補正等の画像処理）を施して表示部１０６に出力する際の設定並びにその設定に伴う制御機能等を実現する制御プログラム等、各種のプログラムが格納される。
【００２１】
第１の表示コントローラ１０４Ａは、表示部１０６に表示される、内部で処理した（ＣＰＵ１０１で処理した）情報（内部処理情報）の表示出力制御を行う。また、第１の表示コントローラ１０４Ａには、機器内部のシステムバスとは切り離された専用の信号線１３１を介して第２の表示コントローラ１０４Ｂが接続される。
【００２２】
この第２の表示コントローラ１０４Ｂは、専用信号線１３１を介して第１の表示コントローラ１０４Ａから受けた表示情報に、例えば輪郭補正、動き補正処理等の加工処理（画像処理）を施して出力する処理機能と、ビデオ入力端子１３０に入力された外部の映像信号（コンポジット信号）をＬＣＤ表示用の表示情報に変換して出力する処理機能をもつ。また第２の表示コントローラ１０４Ｂは、上記ビデオ入力端子１３０に、外部から映像信号（コンポジット信号）が入力されると、その信号入力を検知して、当該入力された映像信号（コンポジット信号）をＬＣＤ表示用の表示情報に変換して出力する処理機能をもつ。また第２の表示コントローラ１０４Ｂは上記信号入力の検知状態をＢＩＯＳを介してエンベデッドコントローラ／キーボードコントローラ１１１に通知する機能をもつ。さらに第２の表示コントローラ１０４Ｂは、第１の表示コントローラ１０４Ａから受けた表示情報（内部処理情報）に所定の加工処理（画像処理）を施して出力している際に、外部からの映像信号（コンポジット信号）入力を検知すると、上記内部処理情報に優先して、上記ビデオ入力端子（コンポジット信号入力端子）１３０に入力された映像信号（コンポジット信号）をＬＣＤ表示用の表示情報に変換して出力する機能をもつ。この機能の有効／無効設定が、上述したように、外部入力情報の表示についての自動切替／手動切替の設定を行うユーティリティプログラムによって行われ、その自動切替／手動切替の設定で自動切替が設定されているとき、上記外部入力信号の検知により、エンベデッドコントローラ／キーボードコントローラ１１１が表示切替制御信号により表示切替スイッチ１０５を切り換え制御する。この表示切り換えの処理については図３および図４に示すフローチャートを参照して後述する。
【００２３】
上記第１の表示コントローラ１０４Ａから出力されるＬＣＤ表示用の表示情報（内部処理情報）と、上記第２の表示コントローラ１０４Ｂから出力されるＬＣＤ表示用の表示情報（外部入力情報若しくは加工処理を施した内部処理情報）は、それぞれ表示切替スイッチ１０５に入力される。
【００２４】
表示切替スイッチ１０５は、エンベデッドコントローラ／キーボードコントローラ１１１が生成する表示切替制御信号に従い、上記第１の表示コントローラ１０４Ａから出力されるＬＣＤ表示用の表示情報（内部処理情報）と、上記第２の表示コントローラ１０４Ｂから出力されるＬＣＤ表示用の表示情報（外部入力情報若しくは加工処理を施した内部処理情報）とを切替対象に、そのいずれかの表示情報を選択して表示部１０６に供給する。この際のＥＣ／ＫＢＣ１１１で生成される表示切替制御信号については後述する。表示部１０６は表示切替スイッチ１０５から供給された表示情報をＬＣＤ画面上に表示出力する。
【００２５】
サウスブリッジ１０７はノースブリッジ１０２に接続されるブリッジデバイスである。サウスブリッジ１０７には、ハードディスクドライブ装置（ＨＤＤ）１０８、ＢＩＯＳ−ＲＯＭ１１０、エンベデッドコントローラ／キーボードコントローラ１１１、テレビジョン（ＴＶ）チューナ１２１、ＤＶＤプレーヤ１２２等が接続される。
【００２６】
ハードディスクドライブ装置（ＨＤＤ）１０８には、ＯＳ、デバイスドライバ、実行対象のアプリケーションプログラム、アプリケーションプログラムを実行することで生成されるデータ等が記憶されている。ハードディスクドライブ装置（ＨＤＤ）１０８に記憶されている情報は、ＣＰＵ１０１のプログラム処理に対し必要に応じて主メモリ１０３に転送され、ＣＰＵ１０１の処理に供される。
【００２７】
ＢＩＯＳ−ＲＯＭ１１０には、ＣＰＵ１０１により実行されるＢＩＯＳが格納される。ＢＩＯＳの表示制御ルーチンには、上記したユーティリティプログラムにより設定された、ビデオ入力端子１３０に入力された外部入力情報（コンポジット信号）に対して、その表示切り換えを手動で行うか自動で行うかを設定した外部入力表示（外部モニタ表示）の自動切替／手動切替の設定情報を取得する（読み込む）処理ステップと、その取得した自動切替／手動切替の設定内容をエンベデッドコントローラ／キーボードコントローラ１１１に通知する処理ステップが含まれる（図３に示すステップＳ１３〜Ｓ１４参照）。
【００２８】
エンベデッドコントローラ／キーボードコントローラ１１１は、電力管理を含む周辺の機能回路を制御するエンベデッドコントローラと、キーボードユニット１１２を制御するためのキーボードコントローラとが集積された１チップマイクロコンピュータである。このエンベデッドコントローラ／キーボードコントローラ１１１には、キーボードユニット１１２、パワーボタン１１４等の構成要素に加えて、本発明に係る表示切り換え制御を実現するための構成要素となる表示切替スイッチ１０５、および表示切替ボタン１１５が接続される。エンベデッドコントローラ／キーボードコントローラ１１１は、ＢＩＯＳから通知された自動切替／手動切替の設定情報と、表示切替ボタン１１５の操作信号とをもとに、表示切替スイッチ１０５を切り換え制御する。例えば、表示切替スイッチ１０５が第１の表示コントローラ１０４Ａから出力されるＬＣＤ表示用の表示情報（内部処理情報）を選択して、当該内部処理情報が表示部１０６に表示されている際に、第２の表示コントローラ１０４Ｂから、ビデオ入力端子１３０に映像信号（コンポジット信号）が入力された旨の検知信号を受けると、ＢＩＯＳから通知された自動切替／手動切替の設定内容が「自動切替」であるか「手動切替」であるかを調べ、「自動切替」であれば、表示切替制御信号により表示切替ボタン１１５を切り換え制御して、上記第１の表示コントローラ１０４Ａから出力されるＬＣＤ表示用の表示情報（内部処理情報）に代え、第２の表示コントローラ１０４Ｂから出力されるＬＣＤ表示用の表示情報（外部入力情報）を表示部１０６に表示出力制御する（図３ステップＳ１６参照）。また、上記設定内容が「手動切替」である際は、上記信号検知タイミングでの表示切り換えは行わず、表示切替ボタン１１５の操作信号に従い、当該ボタン操作の都度、表示切替スイッチ１０５を切り換え制御して、上記第１の表示コントローラ１０４Ａから出力されるＬＣＤ表示用の表示情報（内部処理情報）と、上記第２の表示コントローラ１０４Ｂから出力されるＬＣＤ表示用の表示情報（外部入力情報若しくは加工処理を施した内部処理情報）とを切り換えて表示部１０６に表示する（図４ステップＳ２１，Ｓ２２参照）。
【００２９】
この表示切替スイッチ１０５の入力切り換えにより、第１の表示コントローラ１０４Ａで処理した表示情報を第２の表示コントローラ１０４Ｂを経由せずに表示部１０６に出力するパスと、第１の表示コントローラ１０４Ａで処理した表示情報を第２の表示コントローラ１０４Ｂで加工処理して表示部１０６に出力するパスと、ビデオ入力端子１３０に入力された映像信号（コンポジット信号）を第２の表示コントローラ１０４ＢでＬＣＤ表示用の表示情報に変換して表示部１０６に出力するパスとを対象に一つのパスを選択する機能が実現される。この際の表示切り換え処理については図３および図４に示すフローチャートを参照して後述する。
【００３０】
またエンベデッドコントローラ／キーボードコントローラ１１１は、ユーザによるパワーボタン１１４の操作に応じて情報機器１をパワーオン／パワーオフする。パワーボタン１１４は情報機器１を構成する、例えばＣＰＵ１０１、メモリ１０３といったデバイス群に対して電源供給制御を行い、その後ＯＳを起動するために設けられる。ユーザがパワーボタン１１４を押下するとデバイス群に電源が供給され、その後、ＣＰＵ１０１がＢＩＯＳ−ＲＯＭ１１０に設けられるＢＩＯＳのシステム起動処理ルーチンを実行することでＯＳを起動させる。ＣＰＵ１０１が初期化処理ルーチンを実行する際、該初期化処理ルーチン中の例えばＰＯＳＴ（Power On Self Test）の結果等がＬＣＤ１０６に表示される。
【００３１】
ＴＶチューナ１２１はサウスブリッジ１０７に例えばＵＳＢインタフェースを介して接続される。ＴＶチューナ１２１は、図示しないリモートコントローラまたはＬＡＮ経由のパーソナルコンピュータ等から視聴要求されたチャンネルのＴＶ放送番組データ（コンテンツ）を受信する。ＴＶ放送番組データは内蔵のＮＴＳＣデコーダおよびＭＰＥＧエンコーダを介して圧縮符号化されたＴＶ放送番組データに変換される。ユーザがＴＶ放送番組データを視聴する場合、圧縮符号化されたＴＶ番組データは内蔵のＭＰＥＧデコーダによって復号化され、さらに復号化されたＴＶ番組データはＬＣＤ１０６に表示される。一方、ＴＶ放送番組データをビデオ録画する場合、ＭＰＥＧエンコーダによって圧縮符号化されたＴＶ放送番組データをハードディスクドライブ装置（ＨＤＤ）１０８に記憶させる。またサウスブリッジ１０７に接続されたＤＶＤプレーヤ１２２はセット（装填）されたＤＶＤディスクに記憶されているコンテンツの再生等を行う。
【００３２】
図３および図４に、本発明の上記実施形態に係る表示切り換え処理の手順を示し、図５に上記実施形態に係る表示切り替え動作を説明する状態遷移例を示している。
【００３３】
ここで、上記図３乃至図５を参照して本発明の実施形態に係る表示切り換え処理について説明する。ここでは、初期の表示切り換え状態として、例えば図５（ａ）に示すように、第１の表示コントローラ１０４Ａから出力されるＬＣＤ表示用の表示情報（内部処理情報）が表示切替スイッチ１０５を介し表示部１０６に送られて、表示部１０６に表示されている。
【００３４】
この表示切り換え状態下に於いて、ビデオ入力端子１３０に、外部から映像信号（コンポジット信号）が入力されると、第２の表示コントローラ１０４Ｂは、ビデオ入力端子１３０に、映像信号（コンポジット信号）が入力されたことを検知し（図３ステップＳ１１）、その検知状態をＢＩＯＳに通知する（図３ステップＳ１２）。
【００３５】
ＢＩＯＳは上記通知を受けると、ビデオ入力端子１３０に入力された外部入力情報（コンポジット信号）に対して、その表示切り換えを手動で行うか自動で行うかを設定した外部入力表示（外部モニタ表示）の自動切替／手動切替の設定情報をユーティリティから取得し（図３ステップＳ１３）、その内容を認識して（図３ステップＳ１４）、認識した設定内容をエンベデッドコントローラ／キーボードコントローラ１１１に通知する（図３ステップＳ１５）。
【００３６】
エンベデッドコントローラ／キーボードコントローラ１１１はＢＩＯＳから上記設定内容を受け、その内容が「自動切替」であれば、表示切替制御信号により表示切替ボタン１１５を切り換え制御して、上記第１の表示コントローラ１０４Ａから出力されるＬＣＤ表示用の表示情報（内部処理情報）に代え、第２の表示コントローラ１０４Ｂから出力されるＬＣＤ表示用の表示情報（外部入力情報）を表示部１０６に表示出力制御する（図３ステップＳ１６）。
【００３７】
すなわち、ユーティリティで「自動切替」が設定されている際は、上記ビデオ入力端子１３０に映像信号（コンポジット信号）が入力されると、その信号検知に従うタイミングで、表示部１０６に表示される情報が、図５（ａ）に示す、ＣＰＵ１０１で処理した内部処理情報から、図５（ｂ）に示す、第２の表示コントローラ１０４Ｂで処理した上記映像信号（コンポジット信号）をＬＣＤ表示用に変換した外部表示情報（例えば動画）に切り替わる。
【００３８】
また、上記設定内容が「手動切替」である際は、上記信号検知に従うタイミングでの表示切り換えは行わず、表示切替ボタン１１５が操作される度に、エンベデッドコントローラ／キーボードコントローラ１１１が、表示切替スイッチ１０５を切り換え制御して、図５（ａ）に示す、第１の表示コントローラ１０４Ａから出力されるＬＣＤ表示用の表示情報（内部処理情報）と、図５（ｂ）に示す、第２の表示コントローラ１０４Ｂから出力されるＬＣＤ表示用の表示情報（外部入力情報若しくは加工処理を施した内部処理情報）とを切り換えて表示部１０６に表示する（図４ステップＳ２１，Ｓ２２）。
【００３９】
上記したように、外部入力情報と内部処理情報とを切り換える表示切替ボタン１１５を含んだ表示切り換え処理機能を実現したことにより、ユーザの簡単な操作で、外部から入力された映像情報を鑑賞する表示環境と、ＣＰＵ１０１の処理が介在するデータ表示を伴う処理作業環境とを提供できる。
【００４０】
尚、本発明は上記実施形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４１】
【図１】本発明の実施形態に係る情報機器の外観構成を示す斜視図。
【図２】上記実施形態に係る情報機器の内部構成を示すブロック図。
【図３】上記実施形態に係る処理の手順を示すフローチャート。
【図４】上記実施形態に係る処理の手順を示すフローチャート。
【図５】上記実施形態に係る表示切り替え動作を説明する状態遷移図。
【符号の説明】
【００４２】
１…情報機器、２…機器本体、３…ディスプレイユニット、１０１…ＣＰＵ、１０２…ノースブリッジ、１０３…主メモリ、１０４Ａ…第１の表示コントローラ、１０４Ｂ…第２の表示コントローラ、１０５…表示切替スイッチ、１０６…表示部（ＬＣＤ）、１０７…サウスブリッジ、１０８…ハードディスクドライブ装置（ＨＤＤ）、１１０…ＢＩＯＳ−ＲＯＭ、１１１…エンベデッドコントローラ／キーボードコントローラ（ＥＣ／ＫＢＣ）、１１２…キーボードユニット（ＫＢ）、１１４…パワーボタン、１１５…表示切替ボタン、１２１…テレビジョン（ＴＶ）チューナ、１２２…ＤＶＤプレーヤ、１３０…ビデオ入力端子（コンポジット信号入力端子）。
【図１】
2005340953.tif 000003
【図２】
2005340953.tif 000004
【図３】
2005340953.tif 000005
【図４】
2005340953.tif 000006
【図５】
2005340953.tif 000007